(57)【要約】【課題】保護窓部のヒーター使用時の電力削減を可能にした撮像装置を提供すること。【解決手段】画像を取得する撮像部と、前記撮像部の画像の撮影範囲を変更するレンズ駆動部と、レンズ駆動部の位置情報を取得しそこから撮影範囲をする信号処理部と、光を透過する保護窓部と光を透過し保護窓部を選択的に加熱できる保護窓ヒーター部と、撮影範囲と撮影方向の情報を得て加熱範囲を決定する信号処理部と、信号処理部から加熱する情報を得て加熱する保護窓ヒーター部に電力を供給する加熱制御部を有することを特徴とする。【選択図】図１
2019022029.tif 000002
【特許請求の範囲】
【請求項１】
撮像装置において、
画像を取得する撮像部と、
前記撮像部の画像の撮影範囲を変更するレンズ駆動部と、
レンズ駆動部の位置情報を取得しそこから撮影範囲をする信号処理部と、
光を透過する保護窓部と光を透過し保護窓部を選択的に加熱できる保護窓ヒーター部と、
撮影範囲と撮影方向の情報を得て加熱範囲を決定する信号処理部と、
信号処理部から加熱する情報を得て加熱する保護窓ヒーター部に電力を供給する加熱制御部を有することを特徴とする撮像装置。
【請求項２】
前記保護窓ヒーターとは、前記保護窓に配置され前記保護窓を加熱することを特徴とする請求項１に記載の撮像装置。
【請求項３】
前記保護窓ヒーターとは、前記保護窓に複数個配置されることを特徴とする請求項１に記載の撮像装置。
【請求項４】
前記保護窓ヒーターとは、光を透過する材料を抵抗体として用い構成されることを特徴とする請求項１に記載の撮像装置。
【発明の詳細な説明】
【技術分野】
【０００１】
本発明は、ネットワークカメラのヒーターに関し、特にくもりおよび霜除去用透明ヒーターに関する。
【背景技術】
【０００２】
従来、ネットワークカメラのガラスや透過性樹脂で形成される保護窓は、カメラ内外の温度差や湿度により、霜や結露によるくもりなどが発生する場合がある。これを解消するために、保護窓を加熱することが有用であり、ヒーターを搭載したネットワークカメラが数多く存在している。
【０００３】
そのような中で、保護窓表面に抵抗体となる透明材料を付着させそこに電流を流すことによりヒーターとし保護窓を直接加熱可能な構成が提案されている。
【０００４】
特許文献１には、透明材料を保護窓に抵抗体として形成し、映像から結露を検知した場合に透明材料に電流を流しヒーターとして用いることにより結露の除去を可能とする監視カメラ装置が開示されている。
【先行技術文献】
【特許文献】
【０００５】
【特許文献１】特開平７−１３１６８８号公報
【発明の概要】
【発明が解決しようとする課題】
【０００６】
しかしながら、上述の特許文献1に開示された従来技術では、透明ヒーター全面で発熱させることしかできず、撮像に必要な部分以外の保護窓も加熱されるためヒーター使用時の消費電力が非常に大きい。そのため、電源の容量が制限されている状況では、ヒーター使用のためにほかの機能に必要な電力が不足し、カメラの他の機能が制限されてしまうという課題がある。
【０００７】
そこで、本発明の目的は、保護窓部のヒーター使用時の電力削減を可能にした撮像装置を提供することにある。
【課題を解決するための手段】
【０００８】
上記の目的を達成するために、本発明に係る撮像装置は、
画像を取得する撮像部と、前記撮像部の画像の撮影範囲を変更するレンズ駆動部と、レンズ駆動部の位置情報を取得しそこから撮影範囲をする信号処理部と、光を透過する保護窓部と光を透過し保護窓部を選択的に加熱できる保護窓ヒーター部と撮影範囲と撮影方向の情報を得て加熱範囲を決定する信号処理部と、信号処理部から加熱する情報を得て加熱する保護窓ヒーター部に電力を供給する加熱制御部を有し、撮像に関係する部分の保護窓のみを選択的に加熱することを特徴とする。
【発明の効果】
【０００９】
本発明によれば、保護窓部の透明ヒーターをパターニングし、保護窓を撮像に関係する部分のみ選択的に加熱することによりヒーター使用時の電力削減を可能にした撮像装置を提供することが可能である。
【図面の簡単な説明】
【００１０】
【図１】本発明の実施形態に係る保護窓ヒーターを含むブロック図である。
【図２】本発明の実施形態に係る保護窓ヒーターを含む撮像装置の一例の構成図である。
【図３】本発明の実施形態に係る保護窓ヒーター分割の一例を示した構成図である。
【図４】本発明の実施形態に係る霜、くもり除去モードの動作処理を示すフローチャートである。
【発明を実施するための形態】
【００１１】
以下に、本発明の実施形態を、添付図面に基づいて詳細に説明する。なお、以下の実施形態において示す構成は一例に過ぎず、本発明は、図示された構成に限定されるものではない。
【実施例１】
【００１２】
図１は、本発明である保護窓ヒーター部を含む撮像装置の構成を表すブロック図の一例である。
【００１３】
１００は、本発明である保護窓ヒーター部を含む撮像装置であり、より具体的には所定画角内の動画像を撮像するネットワークカメラである。しかし、本発明はこれに限定したものではなく、透明窓部やレンズ等、撮影時にセンサーと被写体との間に配置する透明材料を直接ヒーターで加熱できる撮像装置であればよいものとする。
【００１４】
撮像部１０１は、光学センサーやズーム、絞りなどを搭載した映像取得装置である。
レンズ駆動部１０２は、撮像部１０１を移動させ撮影画角を変更するための駆動装置である。
【００１５】
保護窓部１０３は、ガラスや樹脂等の光を透過する素材で形成された部材であり、撮像装置を構成する部品の一つである。
【００１６】
保護窓ヒーター部１０４は、保護窓部１０３に付着するくもりや霜の除去及び低減の為に保護窓部に形成される光を透過する素材で形成された加熱装置である。さらに、保護窓ヒーター部１０４は保護窓部１０３上に複数個配置されており、加熱する保護窓ヒーターを選択することで、保護窓部１０３の領域を選択的に加熱することができる装置である。
【００１７】
信号処理部１０５は、撮像部１０１からズームや絞り等の画角情報を得ることができ、レンズ駆動部１０２から撮像部１０１を移動させた移動量情報を得ることができる。さらに、得られた画角情報および移動量情報から撮影画角範囲内に入る保護窓部１０３の領域を推定し、保護窓ヒーター部１０４の加熱領域を決定できる装置である。
【００１８】
加熱制御部１０６は、信号処理部１０５から保護窓ヒーター部１０４の加熱領域の情報を得て、得られた情報をもとに加熱領域の保護窓ヒーター部１０４に電力を供給する装置である。
【００１９】
図２はドーム型監視カメラにおける、透明電極の使用例について説明する。
【００２０】
保護窓２００および筐体２０２で外装は構成されており、内部に撮像部装置１００を持つ構成である。さらに、保護窓２００の内部に保護窓ヒーター２０１が配置されている撮像装置１００で撮影する際に保護窓２００に付着した霜やくもり等を除去するため、保護窓ヒーター２０１の発熱により保護窓２００を加熱することが可能である。
【００２１】
図３は、保護窓ヒーターの具体的な配置の一例を示す。
【００２２】
電極部３０１は保護窓ヒーター２０１の両端に接続されている。両端の電極部３０１に電圧を印加することにより保護窓ヒーター２０１が発熱し、直近に配置された保護窓２００が加熱される。さらに、保護窓ヒーターと両端に配置された電極部３０１は、保護窓２００内に複数分割して配置されており、加熱したい領域の保護窓ヒーターの電極部に電圧を印加することにより、加熱を選択的に行うことが可能である。
【００２３】
図４は、本発明の実施形態に係の一例を示すフローチャートである。
【００２４】
本フローチャートの処理は、撮像部１０１とレンズ駆動部１０２からの情報をもとに信号処理部１０５で行う。
【００２５】
まず、Ｓ１０１において、保護窓部２０１のくもりや霜等を除去するための霜、くもり除去モードの設定があったかどうかを確認する。設定がある場合にはＳ１０２に移行する。設定がない場合には終了し、通常撮影モードに移行する。
【００２６】
Ｓ１０２では、撮像部１０１から現在撮影している画角の情報を信号処理部１０５が取得し、Ｓ１０３に移行する。
【００２７】
次に、Ｓ１０３においては、レンズ駆動部１０２から、撮像部の移動角度の情報を信号処理部１０５が取得し、Ｓ１０４に移行する。
【００２８】
Ｓ１０４では、Ｓ１０２およびＳ１０３において信号処理部１０５が得した画角の情報及び移動角度の情報から、現在撮影している画角内に入る保護窓部２０１の範囲を算出する。Ｓ１０４で算出した保護窓部２０１の範囲が霜およびくもりを除去する必要のある範囲となる。
【００２９】
さらに、Ｓ１０５においてＳ１０４で算出された保護窓部２０１の範囲に対応した保護窓ヒーターを決定する。
【００３０】
最後に、Ｓ１０６において、Ｓ１０５で決定された保護窓ヒーター２０１の情報を加熱制御部１０６に送信し加熱を開始する。これにより、撮影画角に必要な領域のみを加熱することが可能となる。
【００３１】
このように、保護窓部の透明ヒーターをパターニングし、保護窓を撮像に関係する部分のみ選択的に加熱することによりヒーター使用時の電力削減を可能にした、撮像装置を提供することができる。
【００３２】
以上、本発明の好ましい実施形態について説明したが、本発明はこれらの実施形態に限定されず、その要旨の範囲内で種々の変形及び変更が可能である。
【符号の説明】
【００３３】
１００  保護窓ヒーターを有する撮像装置、１０１  撮像部、１０２  レンズ駆動部、
１０３  保護窓部、１０４  保護窓ヒーター部、１０５  信号処理部、
１０６  加熱制御部、２０２  撮像装置筐体、３０１  電極部
【図１】
2019022029.tif 000003
【図２】
2019022029.tif 000004
【図３】
2019022029.tif 000005
【図４】
2019022029.tif 000006